(57)【要約】注入口１１１から上部室１３０内に注入された処理水は、上部室１３０内に配設された複数のピラミッド型水晶及びチューブ２１０に内蔵された各マグネットからの磁力の作用を受けつつセラミック粒の充填された内筒１４０内に一定の圧力で注入され、左ねじれ方向にねじれ回転しながら下方向に送られ、下部室１５０内に入り、ピラミッド型水晶２４６の作用を受けつつセラミック粒の充填された各外筒１２０内を右ねじれ方向にねじれ回転しながら上昇し、各外筒１２０の上部口より内部室１６０内に滝状に落下して空気と混合され出力口１１２から浄水活性化された機能水として出力される。原水を磁場中を通過させると共に、セラミック粒中を通し、内部室内で滝状になって空気の混合作用を受け、これら磁力、遠赤外線効果、空気混合などの相関作用により、生体水に最も近く、人間や動物の体や植物などに最もなじみやすい水といわれているクラスターの小さい状態に維持された「機能水」を生成できる。
2004020346.tif 000002
【特許請求の範囲】
【請求項１】
処理水に磁力線を照射する磁界発生手段と、
前記処理水をらせん状に回転させながら通過させる少なくとも一部にセラミック部材が充填されているらせん状通過手段と、
前記処理水を滝状にして空気と混合させる混合手段とを備えることを特徴とする浄水活性化システム。
【請求項２】
前記磁界発生手段は対角状に配列された複数のマグネットを含むことを特徴とする請求項１記載の浄水活性化システム。
【請求項３】
前記マグネットはリング状チューブ中に内側がＳ極となるように等間隔で対角状に配設されていることを特徴とする請求項２記載の浄水活性化システム。
【請求項４】
前記磁界発生手段は側壁に処理水の注入口を備えた円形の上部室中央部に位置決め固定されており、前記マグネットの下部に前記らせん状通過手段の上部開口部が位置していることを特徴とする請求項１乃至請求項３のいずれかに記載の浄水活性化システム。
【請求項５】
前記らせん状通過手段は、長手方向ほぼ中央部でらせん状に分割された筒体を含み、前記筒体の中には前記セラミック部材が充填されていることを特徴とする請求項１乃至請求項４のいずれかに記載の浄水活性化システム。
【請求項６】
前記らせん状通過手段は、前記上部室の底部に開口部を有する第１の筒体と、前記第１の筒体の他方開口部に連結された下部室と、前記下部室側壁より前記上部室と前記下部室の間にある内部室の上部側壁に連結する第２の筒体とを有することを特徴とする請求項５記載の浄水活性化システム。
【請求項７】
前記第１の筒体は左ねじりのらせん状に長手方向に２分割され、前記第２の筒体は右ねじりのらせん状に長手方向に２分割されていることを特徴とする請求項６記載の浄水活性化システム。
【請求項８】
前記第１の筒体及び前記第２の筒体に充填されているセラミック部材は、やや高温状態で生成された岩石を焼結して生成したセラミック粒体が充填されていることを特徴とする請求項５又は請求項６記載の浄水活性化システム。
【請求項９】
前記上部室には、さらに多面カットされた水晶が係止されていることを特徴とする請求項４記載の浄水活性化システム。
【請求項１０】
前記多面カットされた水晶は、４面体水晶、８面体水晶、６面体水晶、１２面体水晶の順に円形状に配設されていることを特徴とする請求項９記載の浄水活性化システム。
【請求項１１】
前記各水晶の配設位置は、前記磁界発生手段の発生源間の位置となるように位置決めされていることを特徴とする請求項１０記載の浄水活性化システム。
【請求項１２】
前記内部室の少なくとも上部は気密に形成されており、前記混合手段は、前記第２の筒体の前記上部側壁に配設された開口部からの処理水を前記内部室内に滝状に注入する構成を含むことを特徴とする請求項６記載の浄水活性化システム。
【請求項１３】
前記上部室内の最上部と前記下部室内の最下部にピラミッド状水晶を位置決め固定する事を特徴とする請求項６記載の浄水活性化システム。
【請求項１４】
前記下部室よりの出力口に水晶を配設することを特徴とする請求項２記載の浄水活性化システム。
【請求項１５】
前記水晶は、多面体の紫水晶と、多面体のローズピンク水晶と、多面体の透明水晶からなるることを特徴とする請求項１４記載の浄水活性化システム。
【請求項１６】
さらに前処理として処理水をフィルタリングするフィルタ手段を備えることを特徴とする請求項１乃至請求項１５のいずれかに記載の浄水活性化システム。
【請求項１７】
処理すべき水を注入する注入口と、
前記注入口に連結された第１室と、
前記第１室内に等間隔で配設された複数のマグネットと、
前記第１室に一方端部の第１の開口部を有し前記第１室に注入された水を導出する第１の筒と、
前記第１の筒の他方端部の第２の開口部に連結された第２室と、
前記第２室に一方端部の第１の開口部を有し前記第２室に注入された水を導出する第２の筒と、
上部側壁に前記第２の筒の他方端部の第２の開口部が連結され少なくとも上部が気密構造で前記第２の筒の他方端部の第２の開口部より処理すべき水が注入される第３室と、
前記第３室の下部側壁に連結され処理水を取り出す出力口とを備え、
前記第１の筒及び第２の筒内にはセラミック粒が充填されていることを特徴とする浄水活性化システム。
【請求項１８】
前記第１の筒及び第２の筒は長手方向にらせん状に２分割されていることを特徴とする請求項１７記載の浄水活性化システム。
【請求項１９】
最上部に前記第１室、中間に前記第３室、最下部に前記第２室をそれぞれ液密に配設し、
前記第１の筒は、前記一方端部の第１の開口部が前記第１室の底面に連結し、前記第３室を貫いて前記他方端部の第２の開口部が前記第２室上部に連結されており、
前記第２の筒は前記第３室外側に沿って配設され、一方端部の第１の開口部が前記第２室側壁に連結され、他方端部の第２の開口部が前記第３室の上部側壁に連結されており、
前記第３室は、少なくとも上部が気密構造で前記第２の筒の第２の開口部より処理すべき水が滝状に注入されることを特徴とする請求項１７又は請求項１８に記載の浄水活性化システム。
【請求項２０】
更に、前記第１室に等間隔で配設された複数の多面体水晶を備えることを特徴とする請求項１７乃至請求項１９のいずれかに記載の浄水活性化システム。
【請求項２１】
前記多面体水晶は左回りで４面体、８面体、６面体、１２面体の各水晶が配置されていることを特徴とする請求項２０記載の浄水活性化システム。
【請求項２２】
前記第１の筒と第２の筒とは互いに異なる向きにねじられてらせん状に分割されていることを特徴とする請求項１７乃至請求項２１のいずれかに記載の浄水活性化システム。
【請求項２３】
処理水に磁力線を照射し、磁力線を照射した処理水を少なくとも一部にセラミック部材が充填されているらせん状筒体内をらせん状に回転させながら通過させたのち、前記処理水を滝状に空気と混合させることを特徴とする浄水活性化方法。
【請求項２４】
前記磁力線の照射は、対角状に配列された複数のマグネットより発生させる磁力線により行なうことを特徴とする請求項２３記載の浄水活性化方法。
【請求項２５】
前記マグネットはリング状チューブ中に内側がＳ極となるように等間隔で対角状に配設されていることを特徴とする請求項２４記載の浄水活性化方法。
【請求項２６】
前記筒体は、長手方向にほぼ中央部でらせん状に分割されており、前記処理水は左ねじりにねじられている第１の筒体と、右ねじりにねじられている第２の筒体の２つの筒体内を回転しながら通過することを特徴とする請求項２３乃至請求項２５のいずれかに記載の浄水活性化方法。
【請求項２７】
前記第１の筒体及び前記第２の筒体に充填されているセラミック部材は、やや高温状態で生成された岩石を焼結して生成したセラミック粒体であることを特徴とする請求項２３又は請求項２６記載の浄水活性化システム。
【請求項２８】
更にマグネットと共に多面カットされた水晶を配設した室内に処理水を通過させて磁力線を照射すると共に水晶エネルギーもあわせて処理水に照射することを特徴とする請求項２４記載の浄水活性化方法。
【請求項２９】
処理水を多面体の紫水晶と、多面体のローズピンク水晶と、多面体の透明水晶が配置された通路を通過させて出力することを特徴とする請求項２３乃至請求項２８のいずれかに記載の浄水活性化方法。
【請求項３０】
さらに前処理として処理水をフィルタに通すことを特徴とする請求項２３乃至請求項２９のいずれかに記載の浄水活性化方法。
【発明の詳細な説明】
【技術分野】  本発明は、浄水活性化システム及び浄水活性化方法に関し、例えば、水の分子（クラスター）を小さくすると共に、汚れ、臭気を分解除去する好気性微生物が繁殖し易い性質の水にする浄水活性化システム及び浄水活性化方法に関するものである。
【背景技術】  従来の浄水装置は、活性炭などで水中の不純物を除去する浄水方法、あるいは、大規模なものでは、例えば、凝集剤を注入した原水中で微細気泡を発生させて、フロックに微細気泡を付着させ、その浮力により浮上させ、濁質成分の大部分を浮上スカムとして分離・除去し、次いで砂ろ過により残存する濁質成分を除去し、処理水を得ることにより、河川水、湖沼水等に含まれる濁質成分を浮上分離および砂ろ過により除去していた。
しかしながら、上記従来の浄水方法では、活性炭が不純物を吸収し、浮上分離後に残存していた濁質成分が砂ろ過層に捕捉されるため、活性炭の吸収力が次第に減少、または、砂ろ過層のろ過抵抗が次第に増加してくる。このため、定期的に活性炭を交換したり、砂ろ過層を逆洗する必要があった。
さらに、従来の浄水装置では、水中に含まれるミネラル分など、有益な含有物も除去してしまい、水が本来有している効能を生かせなかった。
本発明は上述の課題を解決することを目的としてなされたもので、水本来が有している効能を落とすことなく、浄水すると共にさらに、水の活力を増すことのできる浄水活性化システム及び浄水活性化方法を提供することを目的とする。
【発明の開示】
前記の目的を達成するため、本発明の浄水活性化システムは、例えば、処理水に磁力線を照射する磁界発生手段と、処理水をらせん状に回転させながら通過させる少なくとも一部にセラミック部材が充填されているらせん状通過手段と、前記処理水を滝状に空気と混合させる混合手段とを備えることを特徴とする。
これにより、磁力線で活性化した処理水にセラミックによるろ過作用と遠赤外線効果を与え、かつ処理水をらせん状に回転させながらセラミック中の通過させることにより、クラスターの小さい状態を維持し易くし、更に混合手段により好気性バクテリアの配色に適した環境を整えることができる。
そして例えば、前記磁界発生手段は対角状に配列された複数のマグネットを含むことを特徴とする。或いは、前記マグネットはリング状チューブ中に内側がＳ極となるように等間隔で対角状に配設されている。或いはまた前記磁界発生手段は側壁に処理水注入口を備えた円形の上部室中央部に位置決め固定されており、前記マグネット位置の下部に前記らせん状通過手段の上部開口部が位置していることを特徴とする。これらのことにより、処理水にほぼ同じ強度の磁力線を効率よく照射することができ、水を効率よく活性化することができる。
また例えば、前記らせん状通過手段は、長手方向ほぼ中央部でらせん状に分割された筒体を含み、前記筒体の中にはセラミック部材が充填されていることを特徴とする。このため、効率のよいろ過作用を実現すると共に、セラミック粒よりの遠赤外線効果を与えることができる。
また例えば、前記らせん状通過手段は、前記上部室の底部に開口部を有する第１の筒体と、前記第１の筒体の他方開口部に連結された下部室と、前記下部室側壁より前記上部室の下にある内部室の上部側壁に連結する第２の筒体とを有することを特徴とする。このため、少ない設置面積の中で効率よく水を循環させることができる。
更にまた、例えば、前記第１の筒体は左ねじりのらせん状に長手方向に２分割され、第２の筒体は右ねじりのらせん状に長手方向に２分割されていることを特徴とする。このため、更に効率のよい遠赤外線効果を与え、この状態を維持し易くなる。
また例えば、前記第１の筒体及び前記第２の筒体に充填されているセラミック部材は、比較的高温状態で生成された岩石を焼結するなどして生成したセラミック粒体が充填されていることを特徴とする。この結果、処理水に生物の育成に適した波長４μｍ〜８μｍ程度の電磁波を吸収し、また放射する性質を帯びさせることができる。
更に例えば、前記上部室には、さらに多面カットされた水晶を、例えば、４面体水晶、８面体水晶、６面体水晶、１２面体水晶の順に例えば配設していることにより、処理水に水晶のエネルギーを与えることができる。
前記各水晶の配設位置は、前記磁界発生手段の発生源間の位置となるように位置決めされていることにより効率良く処理水に水晶のエネルギーを与えることができる。
更にまた、前記内部室の少なくとも上部は気密に形成されており、前記混合手段は、前記第２の筒体の前記上部側壁に配設された開口部からの処理水が内部室内で滝状に注入される構成を含むことを特徴とすることにより、簡単な構成で、好気性バクテリアの好む環境を与えることができる。
更にまた、例えば、前記上部室内の最上部と前記下部室内の最下部にピラミッド状水晶を位置決め固定することにより処理水にエネルギーを与えることができ、クラスターの小さい状態を維持し易くなる。
また例えば、前記下部室よりの出力口に水晶、例えば、多面体の紫水晶と、多面体のローズピンク水晶と、多面体の透明水晶を配設することにより効率よく水晶エネルギーを与えることができ、処理水に対する効果の持続が可能となる。
また例えば、さらに前処理として処理水をフィルタリングするフィルタ手段を備えることにより、汚濁物質による浄水、活性化効果の減少を抑えることができる。
また、処理すべき水を注入する注入口と、前記注入口に連結された第１室と、前記第１室内に等間隔で配設された複数のマグネットと、前記第１室に一方端部の第１の開口部を有し前記第１室に注入された水を導出する第１の筒と、前記第１の筒の他方端部の第２の開口部に連結された第２室と、前記第２室に一方端部の第１の開口部を有し前記第２室に注入された水を導出する第２の筒と、上部側壁に前記第２の筒の他方端部の第２の開口部が連結され少なくとも上部が気密構造で前記第２の筒の他方端部の第２の開口部より処理すべき水が注入される第３室と、前記第３室下部側壁に連結され処理水を取り出す出力口とを備え、前記第１の筒及び第２の筒内にはセラミック粒が充填されていることを特徴とする浄水活性化システムとすることにより、本発明の目的を達成することができる。
更に例えば、前記第１の筒及び第２の筒は長手方向にらせん状に２分割されていることにより、ろ過作用と遠赤外線効果を効率よく処理水に与えることができる。
また例えば、最上部に前記第１室、中間に前記第３室、最下部に前記第２室をそれぞれ液密に配設し、前記第１の筒は、一方端部の第１の開口部が前記第１室の底面に連結し、前記第２室を貫いて他方端部の第２の開口部が前記第２室上部に連結されており、前記第２の筒は前記第３室外側に沿って配設され、一方端部の第１の開口部が前記第２室側壁に連結され、他方端部の第２の開口部が前記第３室の上部側壁に連結されており、前記第３室は、少なくとも上部が気密構造で前記第２の筒の第２の開口部より処理すべき水が滝状に注入されることにより、少ない面積で効率の良い浄水及び活性化を実現できる。
【図面の簡単な説明】  図１（Ａ）、（Ｂ）は本発明に係る一発明の実施の形態例の浄水活性システムの概観図であり、図１（Ａ）は平面図、図１（Ｂ）は正面図である。
図２は本実施の形態例の浄水活性化装置の概略構造を説明するための図である。
図３は本実施の形態例の浄水活性化装置の平面図である。
図４は本実施の形態例の浄水活性化装置の上部室（原水注入室）の構造を説明するための図である。
【発明を実施するための最良の形態】  以下、図面を参照して本発明にかかる一発明の実施の形態の一例について説明する。なお、説明に用いる各図は、本発明を理解できる程度に各構成部分の寸法、形状、配置関係などの概略を示してあるが、説明の都合上、部分的に拡大率を変えて図示する場合もあり、必ずしも実施例などの実物や記述と相似形でない場合もある。また、各図において、同様な構成部分については同一の番号を付けて示して重複する説明を省略することもある。
まず、本実施の形態例の浄水活性化システムにおける浄水活性化原理を説明する。本実施の形態例の浄水活性化システムは、大別すると以下の２つの機能を有する。
（１）きれいな水にするという浄水機能
フィルタ装置の内蔵フィルタによる汚濁物質の除去機能のほか、セラミック粒を中心とするろ過材による浄水機能で不純物や有害物質、細菌類を除去した「きれいな水」を生成する機能。
（２）水を活性化させる活性化機能
マグネットよりの磁力の作用、セラミック粒などによる遠赤外線効果、空気混合などの相関作用により水を活性化させる機能。
本実施の形態例の特筆すべき効果としては、（２）の水の活性化機能にあるため、本実施の形態例の水の活性化機能を以下詳細に説明する。
本実施の形態例システムはいわゆる普通の水に対して、以下の活性化機能を与え「機能水」を生成するものである。
（１）水を活性化してクラスターと言われる水の分子を細分化し、小さくする機能。
（２）汚れや臭気を分解・除去し、ガス化する「好気性バクテリア」が繁殖しやすい性質に変える機能。
（３）水を中性化する性質（ペーハー（ｐＨ）をできるだけ中性（ｐＨ７）に近づけようとする性質）を帯びさせる機能。
これらの機能の相乗効果により、汚れや悪臭を的確に除去することが可能となる。
以下図面を参照して以上の機能を水に付与することができる本発明に係る一発明の実施の形態例の浄水活性化システムの構成を詳細に説明する。図１（Ａ），（Ｂ）は、本発明に係る一発明の実施の形態例の浄水活性システムの概観図であり、図１（Ａ）は平面図、図１（Ｂ）は正面図である。図２は本実施の形態例浄水活性化装置の概略構造を説明するための図、図３は本実施の形態例浄水活性化装置の上面図、図４は本実施の形態例浄水活性化装置の上部室（原水注入室）の構造を説明するための図である。
図１（Ａ），（Ｂ）において、１０はフィルタ装置、１００は浄水活性化装置である。フィルタ装置１０において、１１は原水の注入口、１２はフィルタリングされた処理水の出力口、１３は上部空気の排気弁、１４はフィルタ装置の使用を中断する場合や内部のフィルタの清掃、交換を行なう際などに装置内の水を抜くための排水弁である。フィルタ装置１０は、内部にフィルタが備えられており、主に原水中の濁質成分を除去する。
フィルタ装置１０に内蔵されているフィルタは、注入口１１から注入される原水の汚濁度などにより最適のものが選択される。また、浄化活性システムで処理した水の使い道によっても異なり、例えば水耕栽培などに使用する水の場合にはやや荒いフィルタリングで足り、飲用などにも使用する水の場合にはより微細な不純物まで除去可能な細かいフィルタリングを行なうことになる。このフィルタ装置の構成は公知の種々のフィルタ構造とすることができる。原水が汚濁度の少ない水道水であるような場合には、例えば１ミクロン程度の細孔径を有する中空糸膜（又は透過膜）を用いたろ過フィルタであってもよく、また例えば、大阪ガスケミカル製銀処理フィルタなどを適用してもよい。
浄水活性化装置１００において、１１１は処理水の注入口、１１２は処理水の出力口、１１３は上部空気の排気弁、１１４は排水弁、１２１〜１２６は装置下部より上部に延出する内部が右ねじりのらせん状に区切られている６本の外筒Ａ〜Ｆである。
浄水活性化装置１００の本体は、図２に示すように、注入口１１１に連結された上部室１３０、上部開口部が上部室１３０の底部に、下部開口部が下部室１５０の上部にそれぞれ連結され、筒内部が水の流れる方向に対して左ねじりのらせん状に区切られている６本の内筒Ａ１４１〜内筒Ｆ１４６（図３参照）、上部が内筒Ａ１４１〜内筒Ｆ１４６の下部開口部に連結されると共に側壁部上部が外筒Ａ１２１〜外筒Ｆ１２６下部開口部に連結される下部室１５０、側壁部のほぼ最上部が外筒Ａ１２１〜外筒Ｆ１２６の上部開口部に連結されると共に側壁底部近傍が出力口１１２に連結される、少なくとも上部は気密に構成されている内部室１６０とから構成されている。
それぞれの上部室１３０、内部室１６０、下部室１５０とは互いに液密に分離されており、注入口１１１から上部室１３０内に注入された原水は、上部室１３０内で強磁界雰囲気中を通り、後述する水晶の影響を受けつつ内筒Ａ１４１〜内筒Ｆ１４６の上部開口部より内筒Ａ１４１〜内筒Ｆ１４６内に入る。
そして内筒Ａ１４１〜内筒Ｆ１４６内をセラミックによるろ過を受けながららせん状に落下し、下部室１５０に送られる。そして、下部室１５０側面の外筒Ａ１２１〜外筒Ｆ１２６の下部開口部から外筒Ａ１２１〜外筒Ｆ１２６内に入る。
そして外筒Ａ１２１〜外筒Ｆ１２６内をセラミックによるろ過を受けながららせん状に上昇し、内部室１６０の最上部側壁部より内部室１６０内に落下する。内部室１６０の少なくとも上部は気密構造であり、内部室１６０の上部には空気層が存在する。
この結果、内部室１６０では上部から処理水が室内に滝状に流れ落ちる構造であり、オゾンなどが発生するほか、空気との混合が効率よく行なわれる。そして、混合された水は内部室１６０の側壁部に設けられた出力口１１２から浄水活性化された機能水として出力される。
内筒Ａ１４１〜内筒Ｆ１４は、図３に示すように円周状に６本ほぼ等間隔で内部室１６０を貫通して下部室１５０に連結されており、上述したように内筒Ａ１４１〜内筒Ｆ１４内は左ねじりのらせん状に長手方向に２分割されており、各内筒Ａ１４１〜内筒Ｆ１４のらせん状筒体中には例えば、比較的高温状態で生成された土壌、例えば鹿児島であれば、溶岩台地であるシラス台地の土を焼結するなどして生成した直径１．２ｃｍ程度のセラミック粒体が充填されている。
例えばセラミックの成分の花崗岩石は、火山が噴火してできた溶岩が、例えば温度が２００度Ｃ〜５００度Ｃ程度のときのものであることが多く、４μｍ〜８μｍ程度の電磁波を吸収し、また放射する性質がある。このため、生物の育成に適した４μｍ〜１４μｍの範囲に含まれており、このセラミック中を通過した処理水もこの４μｍ〜８μｍ程度の電磁波を吸収し、また放射する性質を帯びることになる。
なお、外筒Ａ１２１〜外筒Ｆ１２６は水の流れる方向に対して右ねじりのらせん状に長手方向に２分割されており、外筒Ａ１２１〜外筒Ｆ１２６も筒内にも上記の内筒と同じセラミック粒体が充填されている。
なお、このセラミック粒として、白色のセラミック粒と赤色のセラミック粒とを用意し、各隣接する筒ごとに白色のセラミック粒と赤色のセラミック粒とを交互に充填してもよい。
さらに、原水が注入される上部室１３０内には、図２に符号２１０で示すようにリング状チューブ体が吊られており、チューブ体２１０内部の各内筒Ａ１４１〜内筒Ｆ１４の上部位置にはそれぞれ約１０００ガウス程度のマグネット（磁石）が対角線状に偶数個配置されている。なお、マグネットは水にさらされると腐食する可能性があるため、チューブ体２１０は液密構造としてマグネットが処理水から遮断されていることが望ましい、
この磁石は、互いに対角になるように、かつ、各磁石はチューブ体２１０内に内側がＳ極、外側がＮ極となるように配設されており、本実施の形態例では合計６個のマグネットが等角度で配置されている。このため、上部室１３０内の磁界強度が均一化されており、上部室１３０内に注入された水は、このマグネットにより発生している強磁界雰囲気中にさらされることになる。なお、このマグネットの強さ及び個数は以上に例に限定されるものではなく、更に強力なものであってもよく、個数も更に多くても、或いは少なくてもよい。
さらに、図４に符号４００で示す上部室１３０の底部の各内筒Ａ１４１〜内筒Ｆ１４６の上部開口部配設位置の内側には、それぞれ４面体にカットされた水晶２２１、８面体にカットされた水晶２２２、６面体にカットされた水晶体２２３、１２面体にカットされた水晶２２４がそれぞれ図４示す配置で係止される。この各水晶の配設位置は、チューブ体２１０内に配置されているマグネットとマグネットの間の位置となるように位置決めされている。
なお、水晶は以上の例に限定されるものではなく、例えば個数を増やしても、或いは多面体形状も４〜１２のカットに限定されるものではなく、更に面数の多い水晶であっても、また同じ面数のものを複数備えてもよい。
さらに、上部室１３０頂部にはピラミッド状にカットされた水晶２４１がその頂部が下側となるように位置決め配設されており、下部室１５０の底部にはピラミッド状にカットされた水晶２４６頂部が上側となるように配設されている。この結果、装置内の水はこれらの水晶の影響を受け、活性化されることになる。
さらに、出力口１１２部分には、図２のＡにおいてその断面構造を示すように、２０面体にカットされた紫水晶３０１と、２０面体にカットされた透明水晶（クリア水晶）３０２と、２０面体にカットされたローズピンク水晶３０１が配設係止されている。このため、ここでも同様に水が活性化され、クラスターの小さい状態が維持されることになる。
なお、以上のほかに、上部室１３０の頂部と下部室１５０の底部に純金板を配設することが望ましい。これによりさらに水が活性化され、クラスターの小さい状態が維持される。
以上の構成を備える本実施の形態例システムを使用する場合には、例えばフィルタ装置１０の原水注入口１１から水圧２Ｋｇ乃至１０Ｋｇ程度の圧力で原水を注入する。
例えばシステムの設置が終わったら、原水の供給源（水道など）のバルブを少しずつ開き、原水の供給を開始する。するとシステム内に水が送り込まれて水と空気の混じりあいが起こる。このため、最初はフィルタ装置１０上部の空気抜き弁１３を開き、空気を排出していく。そして、空気抜き弁１３から水のみが排出されるようになったら空気抜き弁１３を閉接する。これによりフィルタ装置１０内は処理する水で充填される。
フィルタ装置１０に注入された原水は、上記圧力で送り込まれることにより、内蔵フィルタによりフィルタリングされ、主に汚濁物質などが除去され出力口より同じような圧力で出力される。なお、本実施の形態例では、あくまでも汚濁物質などを除去することが目的であるため、原水に溶解しているミネラル成分などの除去までは行なっていない。
フィルタリングされ、出力口１２より出力される処理水は、浄水活性化装置１００の注入口１１１に送られ、注入口１１１から上部室１３０内に注入される。
すると浄水活性化装置１００内の上部室１３０内に水が送り込まれて水と空気の混じりあいが起こる。このため、最初は浄水活性化装置１００上部の空気抜き弁１１３を開き、空気を排出していく。そして、空気抜き弁１１３から水のみが排出されるようになったら空気抜き弁１１３を閉接する。
これにより、上部室１３０内に注入された処理水は、ピラミッド型水晶２４１、４面体カット水晶２２１、８面体カット水晶２２２、６面体カット水晶２２３、１２面体カット水晶２２４の作用及びチューブ２１０に内蔵された各マグネットからの磁力の作用を受けつつセラミック粒の充填された各内筒Ａ１４１〜内筒Ｆ１４６内に一定の圧力で注入され、左ねじれ方向にねじれ回転しながら下方向に送られていくことになる。
この結果、上部室１３０内および各内筒Ａ１４１〜内筒Ｆ１４６内において、水のクラスターが細分化されると共に、クラスターの小さな状態が維持されるようになる。
そして、処理水は、各内筒Ａ１４１〜内筒Ｆ１４６内のセラミック粒のろ過作用を受けると共に、セラミック粒による遠赤外線効果も受けることになる。これにより浄水効果が得られると共にクラスターの小さい状態が維持されるように作用する。
下部室１５０内に入った処理水は、ピラミッド型水晶２４６の作用を受けつつ各外筒Ａ１２１〜外筒Ｆ１２６内に送り込まれる。処理水は、セラミック粒の充填された各外筒Ａ１２１〜外筒Ｆ１２６内を右ねじれ方向にねじれ回転しながら上昇していく。これによりさらに浄水効果が得られると共にクラスターの小さい状態が維持されるように作用する。
処理水は、各外筒Ａ１２１〜外筒Ｆ１２６の上部口より内部室１６０内に落下していく。そして内部室１６０内に入った処理水は、出力口１１２から浄水活性化された機能水として出力される。本実施の形態例では、注入口から注入される現水の注入圧力をほとんど減少させることなく、ほぼ同程度、あるいはより高圧力で出力は１１２から出力される。
なお、この際、処理水は出力口１１２に配設された２０面体にカットされた紫水晶３０１と、２０面体にカットされた透明水晶（クリア水晶）３０２と、２０面体にカットされたローズピンク水晶３０１の作用を受けることになる。
なお、内部室１６０の上部は気密状態であり、一定圧力で上部の各外筒Ａ１２１〜外筒Ｆ１２６の上部口から処理する水が注入されていても、内部室１６０の出力口１１２近傍より上部にある空気は外部に排出されることはなく、上部に封入される。
このため、各外筒Ａ１２１〜外筒Ｆ１２６の上部口から内部室１６０に入ってきた処理水は、滝状になって内部室１６０内に注入され、空気の混合がより積極的に行なわれる。
このように本実施の形態例装置では、原水を磁場中を通過させると共に、セラミック粒中を通し、内部室内で滝状になって空気の混合作用を受け、これら磁力、遠赤外線効果、空気混合などの相関作用により、生体水に最も近く、人間や動物の体や植物などに最もなじみやすい水といわれているクラスターの小さい状態に維持された「機能水」を生成できる。
また、本実施例装置によるろ過作用も強く、処理水が純水に近い状態となるため、溶解性が高くなり、クラスターの小さい状態とあいまって周囲から種々のものを溶かし込む作用が生じ、その後にこの水を使用する装置などに付着した種々の物質が水中に溶解し、装置そのものがきれいになるという作用効果も得られる。このため、本実施例装置の処理水を通した配管の内部がきれいになったり、水の貯蔵槽についた不純物などがなくなり、槽内がきれいになってしまう。このため、装置の洗浄などが省略でき、生産性が向上する。
以上説明したように本実施の形態例によれば、原水を磁場中を通過させると共に、セラミック粒中を通し、また滝状に落下させることにより、磁力、遠赤外線効果、空気混合などの相関作用により、生体水に最も近く、人間や動物の体あるいは植物に最もなじみやすい水といわれているクラスターの小さい水を生成できる。
このため、例えば人が入った後のお風呂の浴槽をそのままにしては、浴槽壁に脂肪分や油分が多くこびりついてしまうが、本実施の形態例のシステムを通した水をたとえ少量でも加えることにより、水中に細かいクラスターを含む水となり、これらの脂肪分などが剥離する。
この細かいクラスターは色々な物質の隙間に滑り込むことができるため、これらの脂肪分や油分の隙間に滑り込む。滑り込んだクラスターは互いにぶっかり合い、はじけあう性質を有する水（活性水）であるため、クラスターが脂肪や油の粒子間に浸入することでこれらが結合力のない粒子に変えられ、自然剥離する。
即ち、これらの分解された物質（脂肪分や油分）は非常に粒子も細かく（軽く）なっているため、浴槽のへりであれば水をかける程度の力で脂肪分や油分が次々と分離して剥離する。
さらには、細かくなった脂肪分や油分の粒子は水に溶け込もうとする状態（エマルジョン）となるため、通常、洗剤などを使わないと落ちない、油や脂肪など、クラスターによる活発な運動作用で容易に除去することが可能となる。
このため、本実施の形態例に係る浄水システムで生成した水を水道管などの配管内を通すと、管のつまりの原因となる管壁への付着物や鉄さびやスケール類が剥がれ落ちてくることが確認でき、単に水を通すのみで管の洗浄ができる。
さらに、本実施の形態例のシステムで生成した水は、汚れ、臭気を分解、除去する好気性微生物が繁殖し易い性質が与えられているため、「生物化学的」に汚れや濁り、悪臭を除去する効力をも持ち合わせている。
即ち、嫌気性バクテリアは物を腐らせると同時に悪臭を発生させるバクテリアであるが、「好気性バクテリア」は地球上の食物連鎖や生態系の中で最終的に物を分解してくれる大事な役割を担う生物であり、「好気性バクテリア」を繁殖しやすくすることは、「汚れや老廃物等が腐り、悪臭を放つ方向ではなく、分解・ガス化の方向へ向かわせる」ものであり、老廃物を分解し、最終的には臭いの出ないガスにさせることができる。
このため、本実施の形態例の浄水システムによって浄水活性化された水を使用することにより、風呂、調理場、排水溝、汚水溜め等の汚れや悪臭が解消される。
さらに、本実施の形態例によれば、水が中性化する（原水のペーハー（ｐＨ）が中性に近づく）ことにより、薬品を使う多くの工場や加工場での苛性ソーダ等の中和剤の使用量を低く抑えることが可能となる。
さらに、溶解性があがることにより、例えば本実施例装置で生成した「機能水」を家畜に与えることにより、豚や牛・ニワトリといった家畜の育成率が促進されたり、肉質をドラスティックに改善することができる。
さらに、磁力や遠赤外線などを取り込むことによって活発な活動を起こす水が生成でき、蒸発圧を低くする効果も確認でき、保水力が持続するため、みずみずしい状態を長く続けることができ、本実施例の水で育てた植物の鮮度が長く保てる。
さらに、セラミック粒は、溶岩が噴火してできたときの２００度Ｃ〜５００度Ｃの温度で太陽光にさらされており、４．０〜８．０μｍの波長の電磁波を吸収しており、現在でもこの吸収波長とほぼ同じ電磁波を放射している。このため、本実施例装置に設けた筒の中を通過する水は筒内のセラミック粒から出る４．０〜８．０μｍの波長の電磁波を受けることになり、これにより水のクラスターを切断縮小し、細胞膜外液を細胞に付着させて細胞の活性を維持する動・植物の細胞の鮮度や活性化の維持を行なえる水となる。
このため、本実施例の浄水システムで処理した処理水は細胞内に浸透しやすくなっており、Ｃａ２＋の細胞内増加を招き、細胞の機能を賦活化させることができ、ひいては人間や動物の身体の細胞の活性化、疾病の治癒、健康・美容の保持といった作用も奏することが可能となる。
【図１】
2004020346.tif 000003
【図２】
2004020346.tif 000004
【図３】
2004020346.tif 000005
【図４】
2004020346.tif 000006
【手続補正書】
【提出日】平成17年6月1日(2005.6.1)
【手続補正１】
【補正対象書類名】特許請求の範囲
【補正対象項目名】全文
【補正方法】変更
【補正の内容】
【特許請求の範囲】
【請求項１】
互いに液密に分離された上部室と、下部室と、これら上部室と下部室の間に位置する内部室とからなる本体部と、
前記上部室に注入された処理水に磁力線を照射する磁界発生手段と、
前記磁力線が照射された処理水をらせん状に回転させながら通過させて前記下部室へ送り、さらにその処理水をらせん状に回転させながら通過させて前記内部室の上部側へ上昇させる少なくとも一部にセラミック部材が充填されているらせん状通過手段と、
前記らせん状通過手段を通過した処理水を前記内部室の上部側から底部へ滝状に落下させて空気と混合させる混合手段とを備えることを特徴とする浄水活性化システム。
【請求項２】
前記磁界発生手段は対角状に配列された複数のマグネットを含むとともに、側壁に前記処理水の注入口を備えた円形の前記上部室中央部に位置決め固定されており、前記マグネットの下部に前記らせん状通過手段の上部開口部が位置していることを特徴とする請求項１記載の浄水活性化システム。
【請求項３】
前記らせん状通過手段は、前記上部室の底部に開口部を有する第１の筒体と、前記第１の筒体の他方開口部に連結された前記下部室と、前記下部室側壁より前記上部室と前記下部室の間にある前記内部室の上部側壁に連結する第２の筒体とを有することを特徴とする請求項２記載の浄水活性化システム。
【請求項４】
前記第１の筒体は左ねじりのらせん状に長手方向に２分割され、前記第２の筒体は右ねじりのらせん状に長手方向に２分割されていることを特徴とする請求項３記載の浄水活性化システム。
【請求項５】
前記第１の筒体及び前記第２の筒体に充填されているセラミック部材は、溶岩の噴火でできた花崗岩を主成分とするセラミック粒体であり、所定波長の電磁波を放射していることを特徴とする請求項３記載の浄水活性化システム。
【請求項６】
前記上部室には、さらに多面カットされた水晶が係止されていることを特徴とする請求項２記載の浄水活性化システム。
【請求項７】
前記多面カットされた水晶は、４面体水晶、８面体水晶、６面体水晶、１２面体水晶の順に円形状に配設されていることを特徴とする請求項６記載の浄水活性化システム。
【請求項８】
前記各水晶の配設位置は、前記磁界発生手段の磁界発生源間の位置となるように位置決めされていることを特徴とする請求項７記載の浄水活性化システム。
【請求項９】
前記内部室の少なくとも上部は気密に形成されており、前記混合手段は、前記第２の筒体の前記上部側壁に配設された開口部からの処理水を前記内部室内に滝状に注入する構成を含むことを特徴とする請求項３記載の浄水活性化システム。
【請求項１０】
前記上部室内の最上部と前記下部室内の最下部にピラミッド状水晶を位置決め固定することを特徴とする請求項３記載の浄水活性化システム。
【請求項１１】
前記下部室よりの出力口に水晶を配設することを特徴とする請求項１０記載の浄水活性化システム。
【請求項１２】
前記水晶は、多面体の紫水晶と、多面体のローズピンク水晶と、多面体の透明水晶からなることを特徴とする請求項１１記載の浄水活性化システム。
【請求項１３】
処理すべき水を注入する注入口と、
前記注入口に連結された第１室と、
前記第１室内に等間隔で配設された複数のマグネットと、
前記第１室に一方端部の第１の開口部を有し前記第１室に注入された水を導出する第１の筒と、
前記第１の筒の他方端部の第２の開口部に連結された第２室と、
前記第２室に一方端部の第１の開口部を有し前記第２室に注入された水を導出する第２の筒と、
上部側壁に前記第２の筒の他方端部の第２の開口部が連結され少なくとも上部が気密構造で前記第２の筒の他方端部の第２の開口部より処理すべき水が注入される第３室と、
前記第３室の下部側壁に連結され処理水を取り出す出力口とを備え、
前記第１の筒及び第２の筒内にはセラミック粒が充填されていることを特徴とする浄水活性化システム。
【請求項１４】
前記第１の筒及び第２の筒は長手方向にらせん状に２分割されていることを特徴とする請求項１３記載の浄水活性化システム。
【請求項１５】
最上部に前記第１室、中間に前記第３室、最下部に前記第２室をそれぞれ液密に配設し、
前記第１の筒は、前記一方端部の第１の開口部が前記第１室の底面に連結し、前記第３室を貫いて前記他方端部の第２の開口部が前記第２室上部に連結されており、
前記第２の筒は前記第３室外側に沿って配設され、一方端部の第１の開口部が前記第２室側壁に連結され、他方端部の第２の開口部が前記第３室の上部側壁に連結されており、
前記第３室は、少なくとも上部が気密構造で前記第２の筒の第２の開口部より処理すべき水が滝状に注入されることを特徴とする請求項１３又は請求項１４に記載の浄水活性化システム。
【請求項１６】
更に、前記第１室に等間隔で配設された複数の多面体水晶を備えることを特徴とする請求項１３乃至請求項１５のいずれかに記載の浄水活性化システム。
【請求項１７】
前記多面体水晶は左回りで４面体、８面体、６面体、１２面体の各水晶が配置されていることを特徴とする請求項１６記載の浄水活性化システム。
【請求項１８】
前記第１の筒と第２の筒とは互いに異なる向きにねじられてらせん状に分割されていることを特徴とする請求項１３乃至請求項１７のいずれかに記載の浄水活性化システム。
【請求項１９】
互いに液密に分離された上部室と、下部室と、これら上部室と下部室の間に位置する内部室のうち、前記上部室に処理水を注入するステップと、
前記上部室内の処理水に磁力線を照射するステップと、
前記磁力線が照射された処理水を少なくとも一部にセラミック部材が充填されている第１の筒体内をらせん状に回転させながら通過させて前記下部室へ送るステップと、
前記下部室へ送られた処理水を少なくとも一部にセラミック部材が充填されている第２の筒体内をらせん状に回転させながら通過させて前記内部室の上部側へ上昇させるステップと、
前記上昇した処理水を前記内部室の上部側から底部へ滝状に落下させて空気と混合させるステップとを備えることを特徴とする浄水活性化方法。
【請求項２０】
前記筒体は、長手方向にほぼ中央部でらせん状に分割されており、前記処理水は左ねじりにねじられている前記第１の筒体と、右ねじりにねじられている前記第２の筒体の２つの筒体内を回転しながら通過することを特徴とする請求項１９記載の浄水活性化方法。
【請求項２１】
前記第１の筒体及び前記第２の筒体に充填されているセラミック部材は、溶岩の噴火でできた花崗岩を主成分とするセラミック粒体であり、所定波長の電磁波を放射していることを特徴とする請求項２０記載の浄水活性化方法。
【請求項２２】
前記上部室には、さらに多面カットされた水晶が係止されていることを特徴とする請求項２０記載の浄水活性化方法。
【請求項２３】
前記多面カットされた水晶は、４面体水晶、８面体水晶、６面体水晶、１２面体水晶の順に円形状に配設されていることを特徴とする請求項２２記載の浄水活性化方法。
【請求項２４】
前記各水晶の配設位置は、前記磁力線の発生源間の位置となるように位置決めされていることを特徴とするに請求項２３記載の浄水活性化方法。
【請求項２５】
前記下部室よりの出力口に多面体の紫水晶と、多面体のローズピンク水晶と、多面体の透明水晶とを配設することを特徴とする請求項１９記載の浄水活性化方法。
【手続補正２】
【補正対象書類名】明細書
【補正対象項目名】全文
【補正方法】変更
【補正の内容】
【発明の詳細な説明】
【技術分野】
【０００１】
本発明は、浄水活性化システム及び浄水活性化方法に関し、例えば、水の分子（クラスター）を小さくすると共に、汚れ、臭気を分解除去する好気性微生物が繁殖し易い性質の水にする浄水活性化システム及び浄水活性化方法に関するものである。
【背景技術】
【０００２】
従来の浄水装置は、活性炭などで水中の不純物を除去する浄水方法、あるいは、大規模なものでは、例えば、凝集剤を注入した原水中で微細気泡を発生させて、フロックに微細気泡を付着させ、その浮力により浮上させ、濁質成分の大部分を浮上スカムとして分離・除去し、次いで砂ろ過により残存する濁質成分を除去し、処理水を得ることにより、河川水、湖沼水等に含まれる濁質成分を浮上分離および砂ろ過により除去していた。
【０００３】
しかしながら、上記従来の浄水方法では、活性炭が不純物を吸収し、浮上分離後に残存していた濁質成分が砂ろ過層に捕捉されるため、活性炭の吸収力が次第に減少、または、砂ろ過層のろ過抵抗が次第に増加してくる。このため、定期的に活性炭を交換したり、砂ろ過層を逆洗する必要があった。
【０００４】
さらに、従来の浄水装置では、水中に含まれるミネラル分など、有益な含有物も除去してしまい、水が本来有している効能を生かせなかった。
【０００５】
本発明は上述の課題を解決することを目的としてなされたもので、水本来が有している効能を落とすことなく、浄水すると共にさらに、水の活力を増すことのできる浄水活性化システム及び浄水活性化方法を提供することを目的とする。
【発明の開示】
【０００６】
前記の目的を達成するため、本発明の浄水活性化システムは、例えば、互いに液密に分離された上部室と、下部室と、これら上部室と下部室の間に位置する内部室とからなる本体部と、前記上部室に注入された処理水に磁力線を照射する磁界発生手段と、前記磁力線が照射された処理水をらせん状に回転させながら通過させて前記下部室へ送り、さらにその処理水をらせん状に回転させながら通過させて前記内部室の上部側へ上昇させる少なくとも一部にセラミック部材が充填されているらせん状通過手段と、前記らせん状通過手段を通過した処理水を前記内部室の上部側から底部へ滝状に落下させて空気と混合させる混合手段とを備えることを特徴とする。
【０００７】
これにより、磁力線で活性化した処理水にセラミックによるろ過作用と遠赤外線効果を与え、かつ処理水をらせん状に回転させながらセラミック中を通過させることにより、クラスターの小さい状態を維持し易くし、更に混合手段により好気性バクテリアの配色に適した環境を整えることができる。
【０００８】
そして例えば、前記磁界発生手段は対角状に配列された複数のマグネットを含むとともに、側壁に前記処理水の注入口を備えた円形の前記上部室中央部に位置決め固定されており、前記マグネットの下部に前記らせん状通過手段の上部開口部が位置していることを特徴とする。これにより、処理水にほぼ同じ強度の磁力線を効率よく照射することができ、水を効率よく活性化することができる。
【０００９】
また例えば、前記らせん状通過手段は、前記上部室の底部に開口部を有する第１の筒体と、前記第１の筒体の他方開口部に連結された前記下部室と、前記下部室側壁より前記上部室と前記下部室の間にある前記内部室の上部側壁に連結する第２の筒体とを有することを特徴とする。このため、少ない設置面積の中で効率よく水を循環させることができる。
【００１０】
更にまた、例えば、前記第１の筒体は左ねじりのらせん状に長手方向に２分割され、前記第２の筒体は右ねじりのらせん状に長手方向に２分割されていることを特徴とする。このため、更に効率のよい遠赤外線効果を与え、この状態を維持し易くなる。
【００１１】
また例えば、前記第１の筒体及び前記第２の筒体に充填されているセラミック部材は、溶岩の噴火でできた花崗岩を主成分とするセラミック粒体であり、所定波長の電磁波を放射していることを特徴とする。この結果、処理水に生物の育成に適した波長４μｍ〜８μｍ程度の電磁波を吸収し、また放射する性質を帯びさせることができる。
【００１２】
更に例えば、前記上部室には、さらに多面カットされた水晶を、例えば４面体水晶、８面体水晶、６面体水晶、１２面体水晶の順に例えば配設していることにより、処理水に水晶のエネルギーを与えることができる。
【００１３】
前記各水晶の配設位置は、前記磁界発生手段の磁界発生源間の位置となるように位置決めされていることにより効率良く処理水に水晶のエネルギーを与えることができる。
【００１４】
更にまた、前記内部室の少なくとも上部は気密に形成されており、前記混合手段は、前記第２の筒体の前記上部側壁に配設された開口部からの処理水を前記内部室内に滝状に注入する構成を含むことを特徴とすることにより、簡単な構成で、好気性バクテリアの好む環境を与えることができる。
【００１５】
更にまた、例えば、前記上部室内の最上部と前記下部室内の最下部にピラミッド状水晶を位置決め固定することにより処理水にエネルギーを与えることができ、クラスターの小さい状態を維持し易くなる。
【００１６】
また例えば、前記下部室よりの出力口に水晶、例えば、多面体の紫水晶と、多面体のローズピンク水晶と、多面体の透明水晶を配設することにより効率良く水晶エネルギーを与えることができ、処理水に対する効果の持続が可能となる。
【００１７】
また、処理すべき水を注入する注入口と、前記注入口に連結された第１室と、前記第１室内に等間隔で配設された複数のマグネットと、前記第１室に一方端部の第１の開口部を有し前記第１室に注入された水を導出する第１の筒と、前記第１の筒の他方端部の第２の開口部に連結された第２室と、前記第２室に一方端部の第１の開口部を有し前記第２室に注入された水を導出する第２の筒と、上部側壁に前記第２の筒の他方端部の第２の開口部が連結され少なくとも上部が気密構造で前記第２の筒の他方端部の第２の開口部より処理すべき水が注入される第３室と、前記第３室の下部側壁に連結され処理水を取り出す出力口とを備え、前記第１の筒及び第２の筒内にはセラミック粒が充填されていることを特徴とする浄水活性化システムとすることにより、本発明の目的を達成することができる。
【００１８】
更に例えば、前記第１の筒及び第２の筒は長手方向にらせん状に２分割されていることにより、ろ過作用と遠赤外線効果を効率よく処理水に与えることができる。
【００１９】
また例えば、最上部に前記第１室、中間に前記第３室、最下部に前記第２室をそれぞれ液密に配設し、前記第１の筒は、前記一方端部の第１の開口部が前記第１室の底面に連結し、前記第３室を貫いて前記他方端部の第２の開口部が前記第２室上部に連結されており、前記第２の筒は前記第３室外側に沿って配設され、一方端部の第１の開口部が前記第２室側壁に連結され、他方端部の第２の開口部が前記第３室の上部側壁に連結されており、前記第３室は、少なくとも上部が気密構造で前記第２の筒の第２の開口部より処理すべき水が滝状に注入されることにより、少ない面積で効率の良い浄水及び活性化を実現できる。
【発明を実施するための最良の形態】
【００２０】
以下、図面を参照して本発明にかかる一発明の実施の形態の一例について説明する。なお、説明に用いる各図は、本発明を理解できる程度に各構成部分の寸法、形状、配置関係などの概略を示してあるが、説明の都合上、部分的に拡大率を変えて図示する場合もあり、必ずしも実施例などの実物や記述と相似形でない場合もある。また、各図において、同様な構成部分については同一の番号を付けて示して重複する説明を省略することもある。
【００２１】
まず、本実施の形態例の浄水活性化システムにおける浄水活性化原理を説明する。本実施の形態例の浄水活性化システムは、大別すると以下の２つの機能を有する。
（１）きれいな水にするという浄水機能
フィルタ装置の内蔵フィルタによる汚濁物質の除去機能のほか、セラミック粒を中心とするろ過材による浄水機能で不純物や有害物質、細菌類を除去した「きれいな水」を生成する機能。
（２）水を活性化させる活性化機能
マグネットよりの磁力の作用、セラミック粒などによる遠赤外線効果、空気混合などの相関作用により水を活性化させる機能。
本実施の形態例の特筆すべき効果としては、（２）の水の活性化機能にあるため、本実施の形態例の水の活性化機能を以下詳細に説明する。
【００２２】
本実施の形態例に係る浄水活性化システムはいわゆる普通の水に対して、以下の活性化機能を与え「機能水」を生成するものである。
（１）水を活性化してクラスターと言われる水の分子を細分化し、小さくする機能。
（２）汚れや臭気を分解・除去し、ガス化する「好気性バクテリア」が繁殖しやすい性質に変える機能。
（３）水を中性化する性質（ペーハー（ｐＨ）をできるだけ中性（ｐＨ７）に近づけようとする性質）を帯びさせる機能。
これらの機能の相乗効果により、汚れや悪臭を的確に除去することが可能となる。
【００２３】
以下図面を参照して以上の機能を水に付与することができる本発明に係る一発明の実施の形態例の浄水活性化システムの構成を詳細に説明する。図１（Ａ），（Ｂ）は、本発明に係る一発明の実施の形態例の浄水活性システムの概観図であり、図１（Ａ）は平面図、図１（Ｂ）は正面図である。図２は本実施の形態例に係る浄水活性化装置の概略構造を説明するための図、図３は本実施の形態例に係る浄水活性化装置の上面図、図４は本実施の形態例に係る浄水活性化装置の上部室（原水注入室）の構造を説明するための図である。
【００２４】
図１（Ａ），（Ｂ）において、１０はフィルタ装置、１００は浄水活性化装置である。フィルタ装置１０において、１１は原水の注入口、１２はフィルタリングされた処理水の出力口、１３は上部空気の排気弁、１４はフィルタ装置の使用を中断する場合や内部のフィルタの清掃、交換を行なう際などに装置内の水を抜くための排水弁である。フィルタ装置１０は、内部にフィルタが備えられており、主に原水中の濁質成分を除去する。
【００２５】
フィルタ装置１０に内蔵されているフィルタは、注入口１１から注入される原水の汚濁度などにより最適のものが選択される。また、浄化活性システムで処理した水の使い道によっても異なり、例えば水耕栽培などに使用する水の場合にはやや荒いフィルタリングで足り、飲用などにも使用する水の場合にはより微細な不純物まで除去可能な細かいフィルタリングを行なうことになる。このフィルタ装置の構成は公知の種々のフィルタ構造とすることができる。原水が汚濁度の少ない水道水であるような場合には、例えば１ミクロン程度の細孔径を有する中空糸膜（又は透過膜）を用いたろ過フィルタであってもよく、また例えば、大阪ガスケミカル製銀処理フィルタなどを適用してもよい。
【００２６】
浄水活性化装置１００において、１１１は処理水の注入口、１１２は処理水の出力口、１１３は上部空気の排気弁、１１４は排水弁、１２１〜１２６は装置下部より上部に延出する内部が右ねじりのらせん状に区切られている６本の外筒Ａ〜Ｆである。
【００２７】
浄水活性化装置１００の本体は、図２に示すように、注入口１１１に連結された上部室１３０、上部開口部が上部室１３０の底部に、下部開口部が下部室１５０の上部にそれぞれ連結され、筒内部が水の流れる方向に対して左ねじりのらせん状に区切られている６本の内筒Ａ１４１〜内筒Ｆ１４６（図３参照）、上部が内筒Ａ１４１〜内筒Ｆ１４６の下部開口部に連結されると共に側壁部上部が外筒Ａ１２１〜外筒Ｆ１２６下部開口部に連結される下部室１５０、側壁部のほぼ最上部が外筒Ａ１２１〜外筒Ｆ１２６の上部開口部に連結されると共に側壁底部近傍が出力口１１２に連結される、少なくとも上部は気密に構成されている内部室１６０とから構成されている。
【００２８】
それぞれの上部室１３０、内部室１６０、下部室１５０とは互いに液密に分離されており、注入口１１１から上部室１３０内に注入された原水は、上部室１３０内で強磁界雰囲気中を通り、後述する水晶の影響を受けつつ内筒Ａ１４１〜内筒Ｆ１４６の上部開口部より内筒Ａ１４１〜内筒Ｆ１４６内に入る。
【００２９】
そして内筒Ａ１４１〜内筒Ｆ１４６内をセラミックによるろ過を受けながららせん状に落下し、下部室１５０に送られる。そして、下部室１５０側面の外筒Ａ１２１〜外筒Ｆ１２６の下部開口部から外筒Ａ１２１〜外筒Ｆ１２６内に入る。
【００３０】
そして外筒Ａ１２１〜外筒Ｆ１２６内をセラミックによるろ過を受けながららせん状に上昇し、内部室１６０の最上部側壁部より内部室１６０内に落下する。内部室１６０の少なくとも上部は気密構造であり、内部室１６０の上部には空気層が存在する。
【００３１】
この結果、内部室１６０では上部から処理水が室内に滝状に流れ落ちる構造であり、オゾンなどが発生するほか、空気との混合が効率よく行なわれる。そして、混合された水は内部室１６０の側壁部に設けられた出力口１１２から浄水活性化された機能水として出力される。
【００３２】
内筒Ａ１４１〜内筒Ｆ１４は、図３に示すように円周状に６本ほぼ等間隔で内部室１６０を貫通して下部室１５０に連結されており、上述したように内筒Ａ１４１〜内筒Ｆ１４内は左ねじりのらせん状に長手方向に２分割されており、各内筒Ａ１４１〜内筒Ｆ１４のらせん状筒体中には例えば、比較的高温状態で生成された土壌、例えば鹿児島であれば、溶岩台地であるシラス台地の土を焼結するなどして生成した直径１．２ｃｍ程度のセラミック粒体が充填されている。
【００３３】
例えばセラミックの成分の花崗岩石は、火山が噴火してできた溶岩が、例えば温度が２００度Ｃ〜５００度Ｃ程度のときのものであることが多く、４μｍ〜８μｍ程度の電磁波を吸収し、また放射する性質がある。このため、生物の育成に適した４μｍ〜１４μｍの範囲に含まれており、このセラミック中を通過した処理水もこの４μｍ〜８μｍ程度の電磁波を吸収し、また放射する性質を帯びることになる。
【００３４】
なお、外筒Ａ１２１〜外筒Ｆ１２６は水の流れる方向に対して右ねじりのらせん状に長手方向に２分割されており、外筒Ａ１２１〜外筒Ｆ１２６も筒内にも上記の内筒と同じセラミック粒体が充填されている。
【００３５】
なお、このセラミック粒として、白色のセラミック粒と赤色のセラミック粒とを用意し、各隣接する筒ごとに白色のセラミック粒と赤色のセラミック粒とを交互に充填してもよい。
【００３６】
さらに、原水が注入される上部室１３０内には、図２に符号２１０で示すようにリング状チューブ体が吊られており、チューブ体２１０内部の各内筒Ａ１４１〜内筒Ｆ１４の上部位置にはそれぞれ約１０００ガウス程度のマグネット（磁石）が対角線状に偶数個配置されている。なお、マグネットは水にさらされると腐食する可能性があるため、チューブ体２１０は液密構造としてマグネットが処理水から遮断されていることが望ましい。
【００３７】
この磁石は、互いに対角になるように、かつ、各磁石はチューブ体２１０内に内側がＳ極、外側がＮ極となるように配設されており、本実施の形態例では合計６個のマグネットが等角度で配置されている。このため、上部室１３０内の磁界強度が均一化されており、上部室１３０内に注入された水は、このマグネットにより発生している強磁界雰囲気中にさらされることになる。なお、このマグネットの強さ及び個数は以上の例に限定されるものではなく、更に強力なものであってもよく、個数も更に多くても、或いは少なくてもよい。
【００３８】
さらに、図４に符号４００で示す上部室１３０の底部の各内筒Ａ１４１〜内筒Ｆ１４６の上部開口部配設位置の内側には、それぞれ４面体にカットされた水晶２２１、８面体にカットされた水晶２２２、６面体にカットされた水晶体２２３、１２面体にカットされた水晶２２４がそれぞれ図４に示す配置で係止される。この各水晶の配設位置は、チューブ体２１０内に配置されているマグネットとマグネットの間の位置となるように位置決めされている。
【００３９】
なお、水晶は以上の例に限定されるものではなく、例えば個数を増やしても、或いは多面体形状も４〜１２のカットに限定されるものではなく、更に面数の多い水晶であっても、また同じ面数のものを複数備えてもよい。
【００４０】
さらに、上部室１３０頂部にはピラミッド状にカットされた水晶２４１がその頂部が下側となるように位置決め配設されており、下部室１５０の底部にはピラミッド状にカットされた水晶２４６がその頂部が上側となるように配設されている。この結果、装置内の水はこれらの水晶の影響を受け、活性化されることになる。
【００４１】
さらに、出力口１１２部分には、図２のＡにおいてその断面構造を示すように、２０面体にカットされた紫水晶３０１と、２０面体にカットされた透明水晶（クリア水晶）３０２と、２０面体にカットされたローズピンク水晶３０１が配設係止されている。このため、ここでも同様に水が活性化され、クラスターの小さい状態が維持されることになる。
【００４２】
なお、以上のほかに、上部室１３０の頂部と下部室１５０の底部に純金板を配設することが望ましい。これによりさらに水が活性化され、クラスターの小さい状態が維持される。
【００４３】
以上の構成を備える本実施の形態例に係る浄水活性システムを使用する場合には、例えばフィルタ装置１０の原水注入口１１から水圧２Ｋｇ乃至１０Ｋｇ程度の圧力で原水を注入する。
【００４４】
例えばシステムの設置が終わったら、原水の供給源（水道など）のバルブを少しずつ開き、原水の供給を開始する。するとシステム内に水が送り込まれて水と空気の混じりあいが起こる。このため、最初はフィルタ装置１０上部の空気抜き弁１３を開き、空気を排出していく。そして、空気抜き弁１３から水のみが排出されるようになったら空気抜き弁１３を閉接する。これによりフィルタ装置１０内は処理する水で充填される。
【００４５】
フィルタ装置１０に注入された原水は、上記圧力で送り込まれることにより、内蔵フィルタによりフィルタリングされ、主に汚濁物質などが除去され出力口より同じような圧力で出力される。なお、本実施の形態例では、あくまでも汚濁物質などを除去することが目的であるため、原水に溶解しているミネラル成分などの除去までは行なっていない。
【００４６】
フィルタリングされ、出力口１２より出力される処理水は、浄水活性化装置１００の注入口１１１に送られ、注入口１１１から上部室１３０内に注入される。
すると浄水活性化装置１００内の上部室１３０内に水が送り込まれて水と空気の混じりあいが起こる。このため、最初は浄水活性化装置１００上部の空気抜き弁１１３を開き、空気を排出していく。そして、空気抜き弁１１３から水のみが排出されるようになったら空気抜き弁１１３を閉接する。
【００４７】
これにより、上部室１３０内に注入された処理水は、ピラミッド型水晶２４１、４面体カット水晶２２１、８面体カット水晶２２２、６面体カット水晶２２３、１２面体カット水晶２２４の作用及びチューブ２１０に内蔵された各マグネットからの磁力の作用を受けつつセラミック粒の充填された各内筒Ａ１４１〜内筒Ｆ１４６内に一定の圧力で注入され、左ねじれ方向にねじれ回転しながら下方向に送られていくことになる。
【００４８】
この結果、上部室１３０内および各内筒Ａ１４１〜内筒Ｆ１４６内において、水のクラスターが細分化されると共に、クラスターの小さな状態が維持されるようになる。
そして、処理水は、各内筒Ａ１４１〜内筒Ｆ１４６内のセラミック粒のろ過作用を受けると共に、セラミック粒による遠赤外線効果も受けることになる。これにより浄水効果が得られると共にクラスターの小さい状態が維持されるように作用する。
【００４９】
下部室１５０内に入った処理水は、ピラミッド型水晶２４６の作用を受けつつ各外筒Ａ１２１〜外筒Ｆ１２６内に送り込まれる。処理水は、セラミック粒の充填された各外筒Ａ１２１〜外筒Ｆ１２６内を右ねじれ方向にねじれ回転しながら上昇していく。これによりさらに浄水効果が得られると共にクラスターの小さい状態が維持されるように作用する。
【００５０】
処理水は、各外筒Ａ１２１〜外筒Ｆ１２６の上部口より内部室１６０内に落下していく。そして内部室１６０内に入った処理水は、出力口１１２から浄水活性化された機能水として出力される。本実施の形態例では、注入口から注入される原水の注入圧力をほとんど減少させることなく、ほぼ同程度、あるいはより高圧力で出力口１１２から出力される。なお、この際、処理水は出力口１１２に配設された２０面体にカットされた紫水晶３０１と、２０面体にカットされた透明水晶（クリア水晶）３０２と、２０面体にカットされたローズピンク水晶３０１の作用を受けることになる。
【００５１】
なお、内部室１６０の上部は気密状態であり、一定圧力で上部の各外筒Ａ１２１〜外筒Ｆ１２６の上部口から処理する水が注入されていても、内部室１６０の出力口１１２近傍より上部にある空気は外部に排出されることはなく、上部に封入される。
【００５２】
このため、各外筒Ａ１２１〜外筒Ｆ１２６の上部口から内部室１６０に入ってきた処理水は、滝状になって内部室１６０内に注入され、空気の混合がより積極的に行なわれる。
【００５３】
このように本実施の形態例に係る装置では、原水を磁場中を通過させると共に、セラミック粒中を通し、内部室内で滝状になって空気の混合作用を受け、これら磁力、遠赤外線効果、空気混合などの相関作用により、生体水に最も近く、人間や動物の体や植物などに最もなじみやすい水といわれているクラスターの小さい状態に維持された「機能水」を生成できる。
【００５４】
また、本実施例に係る装置によるろ過作用も強く、処理水が純水に近い状態となるため、溶解性が高くなり、クラスターの小さい状態とあいまって周囲から種々のものを溶かし込む作用が生じ、その後にこの水を使用する装置などに付着した種々の物質が水中に溶解し、装置そのものがきれいになるという作用効果も得られる。このため、本実施例に係る装置の処理水を通した配管の内部がきれいになったり、水の貯蔵槽についた不純物などがなくなり、槽内がきれいになってしまう。このため、装置の洗浄などが省略でき、生産性が向上する。
【００５５】
以上説明したように本実施の形態例によれば、原水を磁場中を通過させると共に、セラミック粒中を通し、また滝状に落下させることにより、磁力、遠赤外線効果、空気混合などの相関作用により、生体水に最も近く、人間や動物の体あるいは植物に最もなじみやすい水といわれているクラスターの小さい水を生成できる。
【００５６】
このため、例えば人が入った後のお風呂の浴槽をそのままにしては、浴槽壁に脂肪分や油分が多くこびりついてしまうが、本実施の形態例のシステムを通した水をたとえ少量でも加えることにより、水中に細かいクラスターを含む水となり、これらの脂肪分などが剥離する。
【００５７】
この細かいクラスターは色々な物質の隙間に滑り込むことができるため、これらの脂肪分や油分の隙間に滑り込む。滑り込んだクラスターは互いにぶっかり合い、はじけあう性質を有する水（活性水）であるため、クラスターが脂肪や油の粒子間に浸入することでこれらが結合力のない粒子に変えられ、自然剥離する。
即ち、これらの分解された物質（脂肪分や油分）は非常に粒子も細かく（軽く）なっているため、浴槽のへりであれば水をかける程度の力で脂肪分や油分が次々と分離して剥離する。
【００５８】
さらには、細かくなった脂肪分や油分の粒子は水に溶け込もうとする状態（エマルジョン）となるため、通常、洗剤などを使わないと落ちない、油や脂肪など、クラスターによる活発な運動作用で容易に除去することが可能となる。
【００５９】
このため、本実施の形態例に係る浄水システムで生成した水を水道管などの配管内を通すと、管のつまりの原因となる管壁への付着物や鉄さびやスケール類が剥がれ落ちてくることが確認でき、単に水を通すのみで管の洗浄ができる。
【００６０】
さらに、本実施の形態例のシステムで生成した水は、汚れ、臭気を分解、除去する好気性微生物が繁殖し易い性質が与えられているため、「生物化学的」に汚れや濁り、悪臭を除去する効力をも持ち合わせている。
【００６１】
即ち、嫌気性バクテリアは物を腐らせると同時に悪臭を発生させるバクテリアであるが、「好気性バクテリア」は地球上の食物連鎖や生態系の中で最終的に物を分解してくれる大事な役割を担う生物であり、「好気性バクテリア」を繁殖しやすくすることは、「汚れや老廃物等が腐り、悪臭を放つ方向ではなく、分解・ガス化の方向へ向かわせる」ものであり、老廃物を分解し、最終的には臭いの出ないガスにさせることができる。
このため、本実施の形態例の浄水システムによって浄水活性化された水を使用することにより、風呂、調理場、排水溝、汚水溜め等の汚れや悪臭が解消される。
【００６２】
さらに、本実施の形態例によれば、水が中性化する（原水のペーハー（ｐＨ）が中性に近づく）ことにより、薬品を使う多くの工場や加工場での苛性ソーダ等の中和剤の使用量を低く抑えることが可能となる。
【００６３】
さらに、溶解性があがることにより、例えば本実施例に係る装置で生成した「機能水」を家畜に与えることにより、豚や牛・ニワトリといった家畜の育成率が促進されたり、肉質をドラスティックに改善することができる。
【００６４】
さらに、磁力や遠赤外線などを取り込むことによって活発な活動を起こす水が生成でき、蒸発圧を低くする効果も確認でき、保水力が持続するため、みずみずしい状態を長く続けることができ、本実施例に係る装置で生成した水で育てた植物の鮮度が長く保てる。
【００６５】
さらに、セラミック粒は、溶岩が噴火してできたときの２００度Ｃ〜５００度Ｃの温度で太陽光にさらされており、４．０〜８．０μｍの波長の電磁波を吸収しており、現在でもこの吸収波長とほぼ同じ電磁波を放射している。このため、本実施例に係る装置に設けた筒の中を通過する水は筒内のセラミック粒から出る４．０〜８．０μｍの波長の電磁波を受けることになり、これにより水のクラスターを切断縮小し、細胞膜外液を細胞に付着させて細胞の活性を維持する動・植物の細胞の鮮度や活性化の維持を行なえる水となる。
【００６６】
このため、本実施例の浄水システムで処理した処理水は細胞内に浸透しやすくなっており、Ｃａ２＋の細胞内増加を招き、細胞の機能を賦活化させることができ、ひいては人間や動物の身体の細胞の活性化、疾病の治癒、健康・美容の保持といった作用も奏することが可能となる。
【図面の簡単な説明】
【００６７】
【図１】（Ａ）、（Ｂ）は本発明に係る一発明の実施の形態例の浄水活性システムの概観図であり、図１（Ａ）は平面図、図１（Ｂ）は正面図である。
【図２】本実施の形態例の浄水活性化装置の概略構造を説明するための図である。
【図３】本実施の形態例の浄水活性化装置の平面図である。
【図４】本実施の形態例の浄水活性化装置の上部室（原水注入室）の構造を説明するための図である。
【符号の説明】
【００６８】
１０    フィルタ装置
１１    原水の注入口
１２    処理水の出力口
１３    上部空気の排気弁
１４，１１４    排水弁
１００    浄水活性化装置
１１１    処理水の注入口
１１２    処理水の出力口
１１３    上部空気の排気弁
１２１〜１２６    外筒Ａ〜Ｆ
１３０    上部室
１４１〜１４６    内筒Ａ〜内筒Ｆ
１５０    下部室
１６０    内部室
２１０    チューブ体
２２１〜２２４，３０１，３０２    水晶
２４１，２４６    ピラミッド型水晶
【国際調査報告】
2004020346.tif 000007
2004020346.tif 000008
2004020346.tif 000009
2004020346.tif 000010